(57)【要約】【課題】レリーフホログラムにヘアライン条溝による異方性反射を合わせることで偽造防止効果のより高いホログラムを提供する。【解決手段】レリーフホログラムパターンを透明樹脂８の裏面に有し、そのレリーフホログラムパターン面上に反射層９が設けられてなるレリーフホログラムにおいて、ホログラムレリーフパターンが設けられた面に異方性反射を誘起するヘアライン条溝１２に対応する凸部が形成され、そのヘアライン条溝１２に対応する凸部間の凹部の底面上にレリーフホログラムパターン１１が形成されており、ヘアライン条溝１２に対応する凸部とレリーフホログラムパターン１１の面上に反射層９が設けられているホログラム異方性反射複合媒体。【選択図】図２
2008015054.tif 000002
【特許請求の範囲】
【請求項１】
レリーフホログラムパターンを透明樹脂の裏面に有し、そのレリーフホログラムパターン面上に反射層が設けられてなるレリーフホログラムにおいて、前記ホログラムレリーフパターンが設けられた面に異方性反射を誘起するヘアライン条溝に対応する凸部が形成され、そのヘアライン条溝に対応する凸部間の凹部の底面上に前記レリーフホログラムパターンが形成されており、前記ヘアライン条溝に対応する凸部と前記レリーフホログラムパターンの面上に反射層が設けられていることを特徴とするホログラム異方性反射複合媒体。
【請求項２】
前記異方性反射を誘起するヘアライン条溝が立体像を表現するものであることを特徴とする請求項１記載のホログラム異方性反射複合媒体。
【請求項３】
前記ヘアライン条溝に対応する凸部の幅Ｗと深さ（高さ）Ｄは、Ｗ＝２〜５０μｍ、Ｄ＝１〜３μｍの範囲にあることを特徴とする請求項１又は２記載のホログラム異方性反射複合媒体。
【請求項４】
前記レリーフホログラムパターンが、原画像のフーリエ変換像の位相情報を多値化して深さとして記録されたレリーフホログラムパターンからなることを特徴とする請求項１から３の何れか１項記載のホログラム異方性反射複合媒体。
【請求項５】
前記レリーフホログラムパターンが、計算機ホログラムパターンからなることを特徴とする請求項１から３の何れか１項記載のホログラム異方性反射複合媒体    
【請求項６】
前記レリーフホログラムパターンが、二光束干渉によるレリーフホログラムパターンからなることを特徴とする請求項１から３の何れか１項記載のホログラム異方性反射複合媒体。
【請求項７】
前記レリーフホログラムパターンが、レリーフ回折格子パターンからなることを特徴とする請求項１から３の何れか１項記載のホログラム異方性反射複合媒体。
【請求項８】
前記レリーフホログラムパターンが、レーザー光再生型ホログラムを記録した微小区域と回折格子を記録した微小区域とが２次元的に隣接配列されてなるパターンからなることを特徴とする請求項１から３の何れか１項記載のホログラム異方性反射複合媒体。
【発明の詳細な説明】
【背景技術】
【０００１】
ホログラムの技術は、目視した際の視認性が特徴的で、かつ、その製造が困難なことから偽造防止分野で使用されてきた。しかし、ホログラム技術自体を取り扱う業者も増えており、一見それらしき偽造が出回るようになってきた。これらの対策として、通常の目視条件では絵柄が確認できないが、レーザー光を照射すると特定の絵柄を再現するレーザー光再生型のホログラムが提案されている（特許文献１、特許文献２等）。
【０００２】
一方、壁紙や床材等の建材の表面装飾や、家具の表面装飾のために用いる化粧シートにおいては、照りと称される光沢模様を表現するために、多数のヘアラインのパターンを直接化粧シートにエンボス加工したり、あるいは透明なシートにヘアラインパターンをエンボス加工してエンボスシートを作成し、そのエンボスシートを木目柄等の模様を印刷した化粧シートに貼り付けて積層構造とすることが広く行われている（特許文献３、特許文献４等）。このように、ヘアラインパターンをエンボス加工することによって照りが表現できる原理は概略次のようなものである。図３は、ヘアラインパターンをエンボス加工して万線条溝Ｇが形成されたシートＥの斜視図であり、この例では、幅Ｗ１の万線条溝ＧがＷ２の間隔で多数形成されている。シートＥの全体の厚みＤ１に対して、万線条溝Ｇは深さＤ２の溝を形成しており、多数の万線条溝Ｇが略平行に配置されている。このような万線条溝Ｇからなるパターンは、幅Ｗ１を持った凹部と幅Ｗ２を持った凸部との二段階の段差構造を有している。このような万線条溝Ｇが形成されたシートＥは、その表面から得られる反射光の強度が位置によって異なることが知られている。つまり、異方性反射を行うのである。そして、このようなシートＥを見る視線を連続的に変化させると、強く反射する箇所、すなわち、輝度が高く、明るく光る箇所が変化していく。これが照りの移動と称されるものである。
【０００３】
このような異方性反射を生じるヘアライン条溝を用いて立体像を表現することが特許文献５で提案されている。この原理を簡単に説明すると、図４に示すように、立体模様の原画像となる三次元構造体Ｍの表面に配置された多数の標本点Ｑと、これら各標本点Ｑの所定の記録面Ｓｘｙ上への投影像に相当する多数の投影点Ｐとを定義し、各標本点Ｑのそれぞれについて法線ベクトルＮを求め、各標本点Ｑについての法線ベクトルＮの特定の方向に関する方向成分に対して相関を持った方位ベクトルＶを、図５に示すように、記録面Ｓｘｙ上の当該標本点Ｑに対応する投影点Ｐの位置に定義し、この記録面Ｓｘｙ上に定義された多数の方位ベクトルＶによって記録面Ｓｘｙ上にベクトル場を形成し、図６に示すように、このベクトル場に沿った向きに配置された多数のヘアラインＨを定義し、これらヘアラインＨに相当するヘアライン条溝Ｇによって凹凸構造を形成するものである。このような凹凸構造が形成されたエンボス化粧シートでは、ヘアライン条溝Ｇによってベクトル場が表現されており、このベクトル場が、三次元構造体Ｍ上の個々の標本点Ｑについての法線ベクトルの特定の方向成分に相関関係を持った場となっているため、三次元構造体Ｍに応じた立体模様が観察されるものである。
【特許文献１】特開２００３−１２２２３３号公報
【特許文献２】特開２００３−１２２２３４号公報
【特許文献３】特開平１０−２８７０３３号公報
【特許文献４】特開２０００−２７０６６号公報
【特許文献５】特開２００１−１３８７００号公報
【発明の開示】
【発明が解決しようとする課題】
【０００４】
本発明は従来技術のこのような状況に鑑みてなされたものであり、その目的は、レリーフホログラムにヘアライン条溝による異方性反射を合わせることで偽造防止効果のより高いホログラムを提供することである。
【課題を解決するための手段】
【０００５】
上記目的を達成する本発明のホログラム異方性反射複合媒体は、レリーフホログラムパターンを透明樹脂の裏面に有し、そのレリーフホログラムパターン面上に反射層が設けられてなるレリーフホログラムにおいて、前記ホログラムレリーフパターンが設けられた面に異方性反射を誘起するヘアライン条溝に対応する凸部が形成され、そのヘアライン条溝に対応する凸部間の凹部の底面上に前記レリーフホログラムパターンが形成されており、前記ヘアライン条溝に対応する凸部と前記レリーフホログラムパターンの面上に反射層が設けられていることを特徴とするものである。
【０００６】
この場合に、前記異方性反射を誘起するヘアライン条溝が立体像を表現するものであることができる。
【０００７】
また、前記ヘアライン条溝に対応する凸部の幅Ｗと深さ（高さ）Ｄは、Ｗ＝２〜５０μｍ、Ｄ＝１〜３μｍの範囲にあることが望ましい。
【０００８】
また、前記レリーフホログラムパターンとしては、原画像のフーリエ変換像の位相情報を多値化して深さとして記録されたレリーフホログラムパターンからなっていても、他の計算機ホログラムパターンからなっていても、二光束干渉によるレリーフホログラムパターンからなっていても、レリーフ回折格子パターンからなっていても、さらには、レーザー光再生型ホログラムを記録した微小区域と回折格子を記録した微小区域とが２次元的に隣接配列されてなるパターンからなっていてもよい。
【発明の効果】
【０００９】
以上の本発明によると、ヘアライン条溝からの光沢模様の形状、位置等とレリーフホログラムからのホログラム再生像とを組み合わせることで偽造防止効果がより高まる。さらに、レリーフホログラムによる立体像表現、グラデーション表現と、ヘアライン条溝による光沢模様表現の相乗効果によりこれまでにないアイキャッチ効果が生まれる。
【発明を実施するための最良の形態】
【００１０】
以下に、本発明のホログラム異方性反射複合媒体を実施例に基づいて説明する。
【００１１】
図１は、本発明のホログラム異方性反射複合媒体の作製工程の１実施例を示す断面図である。まず、図１（ａ）に示すように、レリーフホログラム原版１を用意する。レリーフホログラム原版１としては、二光束干渉によって原画像を記録したレリーフホログラムの原版でも、計算機ホログラム（ＣＧＨ）の一種である原画像のフーリエ変換像の位相情報を多値化して深さとして記録したレーザー光再生型ホログラム（特許文献１、２参照）の原版でもよい。
【００１２】
次いで、図１（ｂ）に示すように、レリーフホログラム原版１のレリーフ面にフォトレジスト２を塗布する。フォトレジスト２としては、紫外線硬化型のものでも可視光硬化型のものでもよく、また、ポジ型でもネガ型でもよい。
【００１３】
次に、図１（ｃ）に示すように、異方性反射を起こすようにデザインされたヘアライン条溝に対応する遮光パターン４が設けられているフォトマスク３を用意し、そのフォトマスク３をフォトレジスト２上に密着させ、フォトマスク３に所定の露光光５を照射することにより、フォトレジスト２にマスクパターンを焼き付ける。
【００１４】
ここで、例えば特許文献５に記載の方法を用いて異方性反射を起こさせる場合には、特許文献５に記載の方法に基づいて画像処理ソフトにより遮光パターン４をデザインし、その版下データを透明フィルムに出力してフォトマスク３が作製される。
【００１５】
図１に戻って、マスクパターンが焼き付けられたフォトレジスト２を現像することで、図１（ｄ）に示すように、遮光パターン４に対応した部分６が残っているレジストパターン２’が形成される。
【００１６】
図１の例ではフォトレジスト２としてポジ型のものを使用しているので、露光光５が当たった位置に開口が形成されるが、フォトレジスト２としてネガ型のものを使用する場合は、フォトマスク３としてはヘアライン条溝に対応する開口が設けられたネガパターンを用いる。
【００１７】
図１（ｄ）の状態では、レジストパターン２’の開口の底にレリーフホログラム原版１のレリーフ面が露出している。このレリーフ面の上にレジストパターン２’が設けられた状態のレリーフホログラム原版１の上に例えば紫外線硬化樹脂を塗布し、紫外線を照射してその紫外線硬化樹脂を硬化させて剥離することで、露出されたレリーフ面とレジストパターン２’とが複製されてなる図１（ｅ）のような樹脂版７が得られる。この樹脂版７が複製原版７として用いられる。
【００１８】
次に、図１（ｅ）の複製原版７のレリーフパターン上に、例えば紫外線硬化樹脂を塗布し、紫外線を照射してその紫外線硬化樹脂を硬化させて剥離することで、図１（ｆ）に示すような複製品８が得られる。
【００１９】
複製品８のレリーフパターン上に、例えばアルミニウムからなる反射層９を蒸着することで、本発明によるホログラム異方性反射複合媒体１０が得られる。
【００２０】
図２は、図１のような作製工程を経て得られたホログラム異方性反射複合媒体１０の断面図である。このホログラム異方性反射複合媒体１０には、透明な樹脂の複製品８の平面側から光が入射し、その反対側に設けられたレリーフパターン上の反射層９で反射あるいは反射回折され、複製品８の平らな面から反射回折光あるいは散乱反射光が出るものである。複製品８のレリーフパターンは、異方性反射を起こすヘアライン条溝１２と、ヘアライン条溝１２間の凸部の上面（裏面側から見ると凹部の底面）に設けられたレリーフホログラム１１とからなり、レリーフホログラム１１は、レジストパターン２’の開口部から露出しているレリーフホログラム原版１のレリーフ面を複製したものである。また、ヘアライン条溝１２はフォトマスク３の遮光パターン４に対応するものである。ヘアライン条溝１２は、ホログラム異方性反射複合媒体１０の裏面側から見ると、溝ではなく凸条部となっている。
【００２１】
レリーフホログラム１１のレリーフ面は、ＣＧＨの場合には、フーリエ変換像の位相情報を多値化して深さとして記録された多段構造のものであり、二光束干渉によって記録したレリーフホログラムの場合は、干渉縞に対応する正弦波状あるいはそれを多値化した多段構造のものであり、凹凸パターンのピッチｐはｐ＝０．１〜５．０μｍ、凹凸の深さｔはｔ＝０．０５〜０．５μｍ程度である。また、ヘアライン条溝１２は断面が略矩形状で、その幅Ｗと深さＤがぞれぞれレリーフホログラム１１の凹凸パターンのピッチｐ、深さｔに比較して相対的に大きなものからなり、概ねＷ＝１〜１００μｍ、Ｄ＝１〜１０μｍである。なお、特許文献５に記載の方法を用いて、立体像を表現する異方性反射を起こさせる場合には、ヘアライン条溝１２の幅Ｗと深さＤを略２：１の関係にすることで、最も有効な異方性反射を誘起することができる。
【００２２】
本発明のホログラム異方性反射複合媒体１０は以上のような構成であるので、例えば白色光下で透明な複製品８の平面側から観察すると、レリーフホログラム１１から再生されるホログラム再生像とヘアライン条溝１２からの異方性反射による光沢模様とが重畳して観察できる。その光沢模様は視点位置の移動、照明方向の変化に伴って移動する。一方、ホログラム再生像は限られた視野範囲内及び限られた照明方向でのみ観察可能である。そして、フーリエ変換によるレーザ再生型ホログラムの場合、所定方向からレーザー光を照射することで、通常の目視条件では確認できない特定の絵柄をホログラム再生像として再現することができる。
【００２３】
したがって、ヘアライン条溝１２からの光沢模様の形状、位置等とレリーフホログラム１１からのホログラム再生像とを組み合わせることで、本発明のホログラム異方性反射複合媒体の偽造防止効果がより高まる。
【００２４】
さらに、レリーフホログラム１１による立体像表現、グラデーション表現と、ヘアライン条溝１２による光沢模様表現の相乗効果により、これまでのホログラムのみの立体表現やグラデーション効果に加え、新たな見た目効果が創造でき、これまでにないアイキャッチ効果が生まれる。
【００２５】
そして、図１の作製方法から明らかなように、レリーフホログラム原版１の作製と、異方性反射を起こすヘアライン条溝のフォトマスク３の作製は別工程で行われるため、既存のホログラム原版に異方性反射部を付加することも可能であり、初期費用を抑えて原版をつくることができる。また、異方性反射部を作製するに当たり高価な装置は不要であり、煩雑な作業や工程も少ないため簡易に作製することができる。
【００２６】
ところで、本発明のホログラム異方性反射複合媒体１０は、ＩＤ（本人確認）用のカード、銀行等の預貯金カード、クレジットカード、身分証明書等として用いることができる。また、必ずしもカード形態ではない受験票、パスポート等として用いることができる。また、紙幣、金券、商品券、株券、証券、預金通帳、乗車券、航空券等、あるいは、交通機関や公衆電話用のプリペイドカードでも用いることができる。
【００２７】
また、本発明のホログラム異方性反射複合媒体１０は、必ずしも情報を有していないが、ホログラム異方性反射複合媒体１０を積層したことにより情報が付与された種々の物品に適用できる。種々の物品とは、例えば、高級腕時計、貴金属、宝飾品等の、いわゆるブランド品と言われる、世界的に著名な高級商品、それらの収納箱やケース等の物品であり、これらは通常、高価なものであるので、偽造の対象となりやすいものである。場合により、商品にぶら下げられるタグも、ホログラム異方性反射複合媒体１０の基材となり得る。
【００２８】
音楽ソフト、映像ソフト、コンピュータソフト、若しくは、ゲームソフト等が記録された記憶媒体、それらのケース等の物品にも、同様に、基材として、ホログラム異方性反射複合媒体１０を積層し得る。これらは、必ずしも高価なものではないが、不正に大量複製されて市販されると、正規品の販売元が重大な損害を被る恐れがあるものである。
【００２９】
何れのホログラム異方性反射複合媒体１０も、ホログラム異方性反射複合媒体１０以外の部分が情報を有している場合と、情報を有していない場合とにかかわらず、ホログラム異方性反射複合媒体１０を有することにより、ホログラム異方性反射複合媒体１０の真正性を確認することにより、ホログラム異方性反射複合媒体１０を有する基材の真正性を確認することが可能になる。
【００３０】
以上、本発明のホログラム異方性反射複合媒体を実施例に基づいて説明してきたが、本発明はこれら実施例に限定されず種々の変形が可能である。例えば、レリーフホログラム１１のレリーフ面は、原画像のフーリエ変換像の位相情報を多値化して深さとして記録されたレリーフホログラムパターン、あるいは、二光束干渉によるレリーフホログラムパターンとして説明してきたが、他の形式のレリーフ型の計算機ホログラムパターンであってもよく、さらには、レリーフ回折格子パターンであってもよい。また、特許文献２等で提案されているレーザー光再生型レリーフホログラムを記録した微小区域とレリーフ回折格子を記録した微小区域とを２次元的に隣接配列されてなるものであってもよい。
【図面の簡単な説明】
【００３１】
【図１】本発明のホログラム異方性反射複合媒体の作製工程の１実施例を示す断面図である。
【図２】図１のような作製工程を経て得られたホログラム異方性反射複合媒体の断面図である。
【図３】ヘアラインパターンをエンボス加工して万線条溝が形成されたシートの斜視図である。
【図４】従来の異方性反射を生じるヘアライン条溝を用いて立体像を表現する原理を説明するための図である。
【図５】図４の記録面での方位ベクトルを示す図である。
【図６】ベクトル場に沿った向きに配置されたヘアラインを定義する図である。
【符号の説明】
【００３２】
１…レリーフホログラム原版
２…フォトレジスト
２’…レジストパターン
３…フォトマスク
４…遮光パターン
５…露光光
６…遮光パターンに対応した部分
７…樹脂版（複製原版）
８…複製品
９…反射層
１０…ホログラム異方性反射複合媒体
１１…レリーフホログラム
１２…ヘアライン条溝
Ｇ…万線条溝（ヘアライン条溝）
Ｅ…シート
Ｍ…三次元構造体
Ｑ…標本点
Ｓｘｙ…記録面
Ｐ…投影点
Ｎ…法線ベクトル
Ｖ…方位ベクトル
Ｈ…ヘアライン
【図１】
2008015054.tif 000003
【図２】
2008015054.tif 000004
【図３】
2008015054.tif 000005
【図４】
2008015054.tif 000006
【図５】
2008015054.tif 000007
【図６】
2008015054.tif 000008
【手続補正書】
【提出日】平成18年7月4日(2006.7.4)
【手続補正１】
【補正対象書類名】明細書
【補正対象項目名】全文
【補正方法】変更
【補正の内容】
【発明の詳細な説明】
【技術分野】
【０００１】
本発明は、ホログラム異方性反射複合媒体に関し、主にセキュリティ用途に使用されるホログラム異方性反射複合媒体に関するものである。
【背景技術】
【０００２】
ホログラムの技術は、目視した際の視認性が特徴的で、かつ、その製造が困難なことから偽造防止分野で使用されてきた。しかし、ホログラム技術自体を取り扱う業者も増えており、一見それらしき偽造が出回るようになってきた。これらの対策として、通常の目視条件では絵柄が確認できないが、レーザー光を照射すると特定の絵柄を再現するレーザー光再生型のホログラムが提案されている（特許文献１、特許文献２等）。
【０００３】
一方、壁紙や床材等の建材の表面装飾や、家具の表面装飾のために用いる化粧シートにおいては、照りと称される光沢模様を表現するために、多数のヘアラインのパターンを直接化粧シートにエンボス加工したり、あるいは透明なシートにヘアラインパターンをエンボス加工してエンボスシートを作成し、そのエンボスシートを木目柄等の模様を印刷した化粧シートに貼り付けて積層構造とすることが広く行われている（特許文献３、特許文献４等）。このように、ヘアラインパターンをエンボス加工することによって照りが表現できる原理は概略次のようなものである。図３は、ヘアラインパターンをエンボス加工して万線条溝Ｇが形成されたシートＥの斜視図であり、この例では、幅Ｗ１の万線条溝ＧがＷ２の間隔で多数形成されている。シートＥの全体の厚みＤ１に対して、万線条溝Ｇは深さＤ２の溝を形成しており、多数の万線条溝Ｇが略平行に配置されている。このような万線条溝Ｇからなるパターンは、幅Ｗ１を持った凹部と幅Ｗ２を持った凸部との二段階の段差構造を有している。このような万線条溝Ｇが形成されたシートＥは、その表面から得られる反射光の強度が位置によって異なることが知られている。つまり、異方性反射を行うのである。そして、このようなシートＥを見る視線を連続的に変化させると、強く反射する箇所、すなわち、輝度が高く、明るく光る箇所が変化していく。これが照りの移動と称されるものである。
【０００４】
このような異方性反射を生じるヘアライン条溝を用いて立体像を表現することが特許文献５で提案されている。この原理を簡単に説明すると、図４に示すように、立体模様の原画像となる三次元構造体Ｍの表面に配置された多数の標本点Ｑと、これら各標本点Ｑの所定の記録面Ｓｘｙ上への投影像に相当する多数の投影点Ｐとを定義し、各標本点Ｑのそれぞれについて法線ベクトルＮを求め、各標本点Ｑについての法線ベクトルＮの特定の方向に関する方向成分に対して相関を持った方位ベクトルＶを、図５に示すように、記録面Ｓｘｙ上の当該標本点Ｑに対応する投影点Ｐの位置に定義し、この記録面Ｓｘｙ上に定義された多数の方位ベクトルＶによって記録面Ｓｘｙ上にベクトル場を形成し、図６に示すように、このベクトル場に沿った向きに配置された多数のヘアラインＨを定義し、これらヘアラインＨに相当するヘアライン条溝Ｇによって凹凸構造を形成するものである。このような凹凸構造が形成されたエンボス化粧シートでは、ヘアライン条溝Ｇによってベクトル場が表現されており、このベクトル場が、三次元構造体Ｍ上の個々の標本点Ｑについての法線ベクトルの特定の方向成分に相関関係を持った場となっているため、三次元構造体Ｍに応じた立体模様が観察されるものである。
【特許文献１】特開２００３−１２２２３３号公報
【特許文献２】特開２００３−１２２２３４号公報
【特許文献３】特開平１０−２８７０３３号公報
【特許文献４】特開２０００−２７０６６号公報
【特許文献５】特開２００１−１３８７００号公報
【発明の開示】
【発明が解決しようとする課題】
【０００５】
本発明は従来技術のこのような状況に鑑みてなされたものであり、その目的は、レリーフホログラムにヘアライン条溝による異方性反射を合わせることで偽造防止効果のより高いホログラムを提供することである。
【課題を解決するための手段】
【０００６】
上記目的を達成する本発明のホログラム異方性反射複合媒体は、レリーフホログラムパターンを透明樹脂の裏面に有し、そのレリーフホログラムパターン面上に反射層が設けられてなるレリーフホログラムにおいて、前記ホログラムレリーフパターンが設けられた面に異方性反射を誘起するヘアライン条溝に対応する凸部が形成され、そのヘアライン条溝に対応する凸部間の凹部の底面上に前記レリーフホログラムパターンが形成されており、前記ヘアライン条溝に対応する凸部と前記レリーフホログラムパターンの面上に反射層が設けられていることを特徴とするものである。
【０００７】
この場合に、前記異方性反射を誘起するヘアライン条溝が立体像を表現するものであることができる。
【０００８】
また、前記ヘアライン条溝に対応する凸部の幅Ｗと深さ（高さ）Ｄは、Ｗ＝２〜５０μｍ、Ｄ＝１〜３μｍの範囲にあることが望ましい。
【０００９】
また、前記レリーフホログラムパターンとしては、原画像のフーリエ変換像の位相情報を多値化して深さとして記録されたレリーフホログラムパターンからなっていても、他の計算機ホログラムパターンからなっていても、二光束干渉によるレリーフホログラムパターンからなっていても、レリーフ回折格子パターンからなっていても、さらには、レーザー光再生型ホログラムを記録した微小区域と回折格子を記録した微小区域とが２次元的に隣接配列されてなるパターンからなっていてもよい。
【発明の効果】
【００１０】
以上の本発明によると、ヘアライン条溝からの光沢模様の形状、位置等とレリーフホログラムからのホログラム再生像とを組み合わせることで偽造防止効果がより高まる。さらに、レリーフホログラムによる立体像表現、グラデーション表現と、ヘアライン条溝による光沢模様表現の相乗効果によりこれまでにないアイキャッチ効果が生まれる。
【発明を実施するための最良の形態】
【００１１】
以下に、本発明のホログラム異方性反射複合媒体を実施例に基づいて説明する。
【００１２】
図１は、本発明のホログラム異方性反射複合媒体の作製工程の１実施例を示す断面図である。まず、図１（ａ）に示すように、レリーフホログラム原版１を用意する。レリーフホログラム原版１としては、二光束干渉によって原画像を記録したレリーフホログラムの原版でも、計算機ホログラム（ＣＧＨ）の一種である原画像のフーリエ変換像の位相情報を多値化して深さとして記録したレーザー光再生型ホログラム（特許文献１、２参照）の原版でもよい。
【００１３】
次いで、図１（ｂ）に示すように、レリーフホログラム原版１のレリーフ面にフォトレジスト２を塗布する。フォトレジスト２としては、紫外線硬化型のものでも可視光硬化型のものでもよく、また、ポジ型でもネガ型でもよい。
【００１４】
次に、図１（ｃ）に示すように、異方性反射を起こすようにデザインされたヘアライン条溝に対応する遮光パターン４が設けられているフォトマスク３を用意し、そのフォトマスク３をフォトレジスト２上に密着させ、フォトマスク３に所定の露光光５を照射することにより、フォトレジスト２にマスクパターンを焼き付ける。
【００１５】
ここで、例えば特許文献５に記載の方法を用いて異方性反射を起こさせる場合には、特許文献５に記載の方法に基づいて画像処理ソフトにより遮光パターン４をデザインし、その版下データを透明フィルムに出力してフォトマスク３が作製される。
【００１６】
図１に戻って、マスクパターンが焼き付けられたフォトレジスト２を現像することで、図１（ｄ）に示すように、遮光パターン４に対応した部分６が残っているレジストパターン２’が形成される。
【００１７】
図１の例ではフォトレジスト２としてポジ型のものを使用しているので、露光光５が当たった位置に開口が形成されるが、フォトレジスト２としてネガ型のものを使用する場合は、フォトマスク３としてはヘアライン条溝に対応する開口が設けられたネガパターンを用いる。
【００１８】
図１（ｄ）の状態では、レジストパターン２’の開口の底にレリーフホログラム原版１のレリーフ面が露出している。このレリーフ面の上にレジストパターン２’が設けられた状態のレリーフホログラム原版１の上に例えば紫外線硬化樹脂を塗布し、紫外線を照射してその紫外線硬化樹脂を硬化させて剥離することで、露出されたレリーフ面とレジストパターン２’とが複製されてなる図１（ｅ）のような樹脂版７が得られる。この樹脂版７が複製原版７として用いられる。
【００１９】
次に、図１（ｅ）の複製原版７のレリーフパターン上に、例えば紫外線硬化樹脂を塗布し、紫外線を照射してその紫外線硬化樹脂を硬化させて剥離することで、図１（ｆ）に示すような複製品８が得られる。
【００２０】
複製品８のレリーフパターン上に、例えばアルミニウムからなる反射層９を蒸着することで、本発明によるホログラム異方性反射複合媒体１０が得られる。
【００２１】
図２は、図１のような作製工程を経て得られたホログラム異方性反射複合媒体１０の断面図である。このホログラム異方性反射複合媒体１０には、透明な樹脂の複製品８の平面側から光が入射し、その反対側に設けられたレリーフパターン上の反射層９で反射あるいは反射回折され、複製品８の平らな面から反射回折光あるいは散乱反射光が出るものである。複製品８のレリーフパターンは、異方性反射を起こすヘアライン条溝１２と、ヘアライン条溝１２間の凸部の上面（裏面側から見ると凹部の底面）に設けられたレリーフホログラム１１とからなり、レリーフホログラム１１は、レジストパターン２’の開口部から露出しているレリーフホログラム原版１のレリーフ面を複製したものである。また、ヘアライン条溝１２はフォトマスク３の遮光パターン４に対応するものである。ヘアライン条溝１２は、ホログラム異方性反射複合媒体１０の裏面側から見ると、溝ではなく凸条部となっている。
【００２２】
レリーフホログラム１１のレリーフ面は、ＣＧＨの場合には、フーリエ変換像の位相情報を多値化して深さとして記録された多段構造のものであり、二光束干渉によって記録したレリーフホログラムの場合は、干渉縞に対応する正弦波状あるいはそれを多値化した多段構造のものであり、凹凸パターンのピッチｐはｐ＝０．１〜５．０μｍ、凹凸の深さｔはｔ＝０．０５〜０．５μｍ程度である。また、ヘアライン条溝１２は断面が略矩形状で、その幅Ｗと深さＤがぞれぞれレリーフホログラム１１の凹凸パターンのピッチｐ、深さｔに比較して相対的に大きなものからなり、概ねＷ＝１〜１００μｍ、Ｄ＝１〜１０μｍである。なお、特許文献５に記載の方法を用いて、立体像を表現する異方性反射を起こさせる場合には、ヘアライン条溝１２の幅Ｗと深さＤを略２：１の関係にすることで、最も有効な異方性反射を誘起することができる。
【００２３】
本発明のホログラム異方性反射複合媒体１０は以上のような構成であるので、例えば白色光下で透明な複製品８の平面側から観察すると、レリーフホログラム１１から再生されるホログラム再生像とヘアライン条溝１２からの異方性反射による光沢模様とが重畳して観察できる。その光沢模様は視点位置の移動、照明方向の変化に伴って移動する。一方、ホログラム再生像は限られた視野範囲内及び限られた照明方向でのみ観察可能である。そして、フーリエ変換によるレーザ再生型ホログラムの場合、所定方向からレーザー光を照射することで、通常の目視条件では確認できない特定の絵柄をホログラム再生像として再現することができる。
【００２４】
したがって、ヘアライン条溝１２からの光沢模様の形状、位置等とレリーフホログラム１１からのホログラム再生像とを組み合わせることで、本発明のホログラム異方性反射複合媒体の偽造防止効果がより高まる。
【００２５】
さらに、レリーフホログラム１１による立体像表現、グラデーション表現と、ヘアライン条溝１２による光沢模様表現の相乗効果により、これまでのホログラムのみの立体表現やグラデーション効果に加え、新たな見た目効果が創造でき、これまでにないアイキャッチ効果が生まれる。
【００２６】
そして、図１の作製方法から明らかなように、レリーフホログラム原版１の作製と、異方性反射を起こすヘアライン条溝のフォトマスク３の作製は別工程で行われるため、既存のホログラム原版に異方性反射部を付加することも可能であり、初期費用を抑えて原版をつくることができる。また、異方性反射部を作製するに当たり高価な装置は不要であり、煩雑な作業や工程も少ないため簡易に作製することができる。
【００２７】
ところで、本発明のホログラム異方性反射複合媒体１０は、ＩＤ（本人確認）用のカード、銀行等の預貯金カード、クレジットカード、身分証明書等として用いることができる。また、必ずしもカード形態ではない受験票、パスポート等として用いることができる。また、紙幣、金券、商品券、株券、証券、預金通帳、乗車券、航空券等、あるいは、交通機関や公衆電話用のプリペイドカードでも用いることができる。
【００２８】
また、本発明のホログラム異方性反射複合媒体１０は、必ずしも情報を有していないが、ホログラム異方性反射複合媒体１０を積層したことにより情報が付与された種々の物品に適用できる。種々の物品とは、例えば、高級腕時計、貴金属、宝飾品等の、いわゆるブランド品と言われる、世界的に著名な高級商品、それらの収納箱やケース等の物品であり、これらは通常、高価なものであるので、偽造の対象となりやすいものである。場合により、商品にぶら下げられるタグも、ホログラム異方性反射複合媒体１０の基材となり得る。
【００２９】
音楽ソフト、映像ソフト、コンピュータソフト、若しくは、ゲームソフト等が記録された記憶媒体、それらのケース等の物品にも、同様に、基材として、ホログラム異方性反射複合媒体１０を積層し得る。これらは、必ずしも高価なものではないが、不正に大量複製されて市販されると、正規品の販売元が重大な損害を被る恐れがあるものである。
【００３０】
何れのホログラム異方性反射複合媒体１０も、ホログラム異方性反射複合媒体１０以外の部分が情報を有している場合と、情報を有していない場合とにかかわらず、ホログラム異方性反射複合媒体１０を有することにより、ホログラム異方性反射複合媒体１０の真正性を確認することにより、ホログラム異方性反射複合媒体１０を有する基材の真正性を確認することが可能になる。
【００３１】
以上、本発明のホログラム異方性反射複合媒体を実施例に基づいて説明してきたが、本発明はこれら実施例に限定されず種々の変形が可能である。例えば、レリーフホログラム１１のレリーフ面は、原画像のフーリエ変換像の位相情報を多値化して深さとして記録されたレリーフホログラムパターン、あるいは、二光束干渉によるレリーフホログラムパターンとして説明してきたが、他の形式のレリーフ型の計算機ホログラムパターンであってもよく、さらには、レリーフ回折格子パターンであってもよい。また、特許文献２等で提案されているレーザー光再生型レリーフホログラムを記録した微小区域とレリーフ回折格子を記録した微小区域とを２次元的に隣接配列されてなるものであってもよい。
【図面の簡単な説明】
【００３２】
【図１】本発明のホログラム異方性反射複合媒体の作製工程の１実施例を示す断面図である。
【図２】図１のような作製工程を経て得られたホログラム異方性反射複合媒体の断面図である。
【図３】ヘアラインパターンをエンボス加工して万線条溝が形成されたシートの斜視図である。
【図４】従来の異方性反射を生じるヘアライン条溝を用いて立体像を表現する原理を説明するための図である。
【図５】図４の記録面での方位ベクトルを示す図である。
【図６】ベクトル場に沿った向きに配置されたヘアラインを定義する図である。
【符号の説明】
【００３３】
１…レリーフホログラム原版
２…フォトレジスト
２’…レジストパターン
３…フォトマスク
４…遮光パターン
５…露光光
６…遮光パターンに対応した部分
７…樹脂版（複製原版）
８…複製品
９…反射層
１０…ホログラム異方性反射複合媒体
１１…レリーフホログラム
１２…ヘアライン条溝
Ｇ…万線条溝（ヘアライン条溝）
Ｅ…シート
Ｍ…三次元構造体
Ｑ…標本点
Ｓｘｙ…記録面
Ｐ…投影点
Ｎ…法線ベクトル
Ｖ…方位ベクトル
Ｈ…ヘアライン